(57)【特許請求の範囲】
【請求項１】
機器への商用電源供給が一時停止され、その後再び商用電源が供給された際に、前記機器を元の動作状態に戻すための復帰回路を有する電子機器であって、前記復帰回路は、直流電源に接続された抵抗とトランジスタのベースの中点が比較手段の＋側に接続されるとともに、前記比較手段の−側は基準電圧に接続され、前記比較手段の出力を前記トランジスタのエミッタにダイオードを介して接続し、前記トランジスタのコレクタに接続されたコンデンサと、一方が前記コンデンサとコレクタの中点に接続され、他方が前記直流電源と直列に接続された前記機器を操作するためのスイッチとからなることを特徴とする電子機器。
【発明の詳細な説明】
【０００１】
【発明の属する技術分野】
本発明は、商用電源供給が一時停止され、その後再び商用電源が供給された際に、機器を元の動作状態に戻すための復帰回路を備えた電子機器に関するものである。
【０００２】
【従来の技術】
従来、炊飯器において、炊飯動作中と保温動作中とで異なる信号を記憶する記憶手段と、該記憶手段の信号を判定する判定手段とで停電復帰後に該判定手段の出力に基づいて元の炊飯動作中または保温動作中に復帰できるものが提案されている。
【０００３】
例えば特開平３−４２８９２号公報では、図３に示すように炊飯スイッチ５７をＯＮするとサイリスタ５４がＯＮし、直ちに充電回路５６のコンデンサ５５に充電されＢ点での信号電位がＡ点での信号電位より高くなり、炊飯動作が記憶される。そして、炊飯完了温度を温度センサ５０が検出すると、これを温度検出回路５１を通じてマイクロコンピュータ５２に入力し、マイクロコンピュータ５２はトランジスタＱをＯＮせしめてコンデンサ５５を放電せしめ、Ｂ点の信号電位をＡ点の信号電位よりも低くして保温動作を記憶しておく。これにより炊飯中又は保温中に停電しても商用電源の復帰後Ｂ点の高電位、又は低電位をマイクロコンピュータ５２で検出して保温用トライアック４８を導通し、確実に元の炊飯回路４３又は保温回路４６に復帰せしめる。
【０００４】
なお図中の、４２は商用電源、４５は炊飯用トライアック、４９は電源回路、５３は比較手段、５８は取消スイッチである。
【０００５】
【発明が解決しようとする課題】
しかしながら上記従来の構成の電子機器では、製品の検査工程で炊飯テストをしているときに終業し、休日明け後再び炊飯テストからテストをするような長時間の休電あるいは停電に対し、コンデンサ５５の充電が保持されず再度始めから炊飯テストをスタートする必要があった。これは比較手段５３の入力端子は内部に入力保護のために直流電源＋Ｖに直列にダイオードを内蔵しているためであり、停電時、コンデンサ５５の充電がこの内蔵しているダイオードで電源回路４９に閉ループが出来放電するためである。
【０００６】
このため長時間の停電に対し、コンデンサ５５の充電が保持されることが困難となり、停電時間が長いとコンデンサ５５に蓄えられた電圧が下がり、炊飯動作中の記憶維持が出来ず炊飯動作中であるにもかかわらず保温動作中と誤判別するという問題が生じる。
【０００７】
また、商用電源４２へのノイズによりトランジスタＱが誤ってオンするとコンデンサ５５に蓄えられた電圧が放電され、炊飯動作中の記憶維持が出来ず炊飯を終了していないにもかかわらず保温に切り替わるという問題が生じる。
【０００８】
さらに、該判定手段（比較手段５３）はヒステリシスを設けていないことから商用電源４２にノイズが加わると該判定手段（比較手段５３）の出力がハイレベルとローレベルを繰り返し、マイクロコンピュータ５２が誤判定を起こす恐れがあり、マイクロコンピュータ５２のソフトに特別な配慮が必要であるという問題が生じる。
【０００９】
本発明は上記の点を考慮してなされたもので、長い時間の停電や商用電源へのノイズに対し、機器を元の状態に戻すための復帰回路を備えた電子機器を提供するものである。
【００１０】
【課題を解決するための手段】
この課題を解決するために本発明による電子機器は、復帰回路を有する電子機器であって、前記復帰回路は、直流電源に接続された抵抗とトランジスタのベースの中点が比較手段の＋側に接続されるとともに、前記比較手段の−側は基準電圧に接続され、前記比較手段の出力を前記トランジスタのエミッタにダイオードを介して接続し、前記トランジスタのコレクタに接続されたコンデンサと、一方が前記コンデンサとコレクタの中点に接続され、他方が前記直流電源と直列に接続された前記機器を操作するためのスイッチとからなる構成としたものである。この本発明によれば、前記復帰回路の働きにより、長い時間の停電や商用電源へのノイズに対し、機器がその影響を受けにくいという効果が得られる。
【００１１】
【発明の実施の形態】
本発明の請求項１に記載の発明は、機器への商用電源供給が一時停止され、その後再び商用電源が供給された際に、前記機器を元の動作状態に戻すための復帰回路を有する電子機器であって、前記復帰回路は、前記電源に接続された抵抗とトランジスタのベースの中点が比較手段の＋側に接続されるとともに、前記比較手段の−側は基準電圧に接続され、前記比較手段の出力を前記トランジスタのエミッタにダイオードを介して接続し、前記トランジスタのコレクタに接続されたコンデンサと、一方が前記コンデンサとコレクタの中点に接続され、他方が前記電源と直列に接続された前記機器を操作するためのスイッチとからなる構成としたものであり、休電あるいは停電や商用電源へのノイズに対し影響を受けにくいという作用を有する。
【００１２】
以下、本発明の一実施の形態について図１から図２を用いて炊飯器を例に説明する。
【００１３】
（実施の形態１）
図１は本発明の第１の実施の形態における電子機器の概略構成を示すブロック図であり、図１において、１は温度センサ、２は温度検出手段、３は開始スイッチ、４は取消スイッチ、５は基準電圧、６は比較手段、７はヒータ通電手段、８は復帰回路、１０は炊飯回路で構成されている。
【００１４】
図２は同実施の形態における電子機器の具体的な構成を示す回路図であり、図２において、開始スイッチ３をオンする前のコンデンサＣに電荷が蓄積されていない初期状態においては、抵抗ＲとトランジスタＱのベースの中点のＡ点での信号電位ａと、抵抗１５，１６で分圧されたＢ点の所定の信号電位ｂとの電位はｂ＞ａの関係であり、比較手段６の出力は「ローレベル」である。ここで、トランジスタＱはエミッタがダイオード１７を介して比較手段６の出力に接続されており、＋Ｖｃｃから抵抗Ｒを介してベース電流が流れており、オン状態を保持している。
次に操作者が開始スイッチ３をオンすると炊飯動作が開始される。すなわち、開始スイッチ３をオンすると復帰回路８のコンデンサＣに＋Ｖｃｃが充電されると共に、＋Ｖｃｃに接続された抵抗Ｒが開始スイッチ３を介してトランジスタＱのコレクタに接続されて、上記Ａ点の信号電位ａは略＋Ｖｃｃとなって、抵抗１５，１６で分圧されたＢ点の所定の信号電位ｂより高くなる。これにより、比較手段６の出力が「ローレベル」から「ハイレベル」に変わり、ヒータ通電手段７のトランジスタ１９をオンし、リレー２０が励磁されて接点２１がオンすることで炊飯回路１０に通電され炊飯動作が記憶される。
ここで、本実施の形態での炊飯動作の記憶は、復帰回路８のトランジスタＱをｎｐｎ型とすることで可能にしている。つまり、炊飯動作は、比較手段６の出力が「ローレベル」から「ハイレベル」になることで記憶されるが、その為にはＡ点での信号電位ａと、Ｂ点の所定の信号電位ｂとをａ＞ｂの関係で維持する必要が有り、トランジスタＱをｎｐｎ型とすることで比較手段６の出力が「ローレベル」から「ハイレベル」になり、トランジスタＱはベース電流が遮断されてオンからオフになっても、そのベースからコレクタへは順方向であり、＋Ｖｃｃが抵抗Ｒを介してコンデンサＣに充電され続けることで可能にしている。
【００１５】
そして温度センサ１が温度検出手段２の抵抗１１，１２，１３で設定された炊飯完了温度を検出すると、比較手段１４の出力が「ハイレベル」から「ローレベル」に変わり、復帰回路８のコンデンサＣの電圧が比較手段１４に放電されＡ点での信号電位がＢ点の信号電位より低電位となり、リレー２０がオフすることで炊飯動作が完了する。なお、図中の１８は抵抗、２１はリレーの接点、２２はヒータ、２３は商用電源である。
【００１６】
このように、本提案では長時間の停電に対し、コンデンサＣと比較手段６の＋側間にトランジスタＱを設けているため、コンデンサＣから電源回路９に閉ループが出来ることは無くコンデンサＣの充電が保持される。
【００１７】
またトランジスタＱのエミッタを、復帰回路８の比較手段６の出力にダイオード１７を介して接続しているため、温度検出手段２で設定された炊飯完了温度を検出すると、比較手段１４の出力が「ハイレベル」から「ローレベル」に変わり、復帰回路８のコンデンサＣが比較手段１４の出力の「ローレベル」に接続されてコンデンサＣに蓄積された電荷は放電されＡ点での信号電位ａがＢ点の信号電位ｂより低くなる。このことで、比較手段６の出力が「ハイレベル」から「ローレベル」に変わり、トランジスタＱはエミッタが「ローレベル」に接続されることでベース電流が流れてオフからオンし急激にＡ点での信号電位が下がるようにしている。
つまり、比較手段６の出力をトランジスタＱを介して比較手段６の入力に正帰還することでヒステリシスを設けた構成になり、これにより例えば商用電源にノイズが加わってもトランジスタＱが今の動作状態を変えることはなく、結果として比較手段６の出力がハイレベルとローレベルを繰り返すことはない。マイクロコンピュータを使った場合、本発明の復帰回路８を用いることでマイクロコンピュータが誤判定を起こす恐れはなく、マイクロコンピュータのソフトに特別な配慮は必要ない。
【００１８】
なお、本実施の形態では復帰回路８の出力でヒータ通電手段７を制御しているが、復帰回路８の出力をマイクロコンピュータに入力し、マイクロコンピュータの出力でヒータ通電手段７を制御しても同様の効果が得られる。
【００１９】
また、ヒータ通電手段７はリレー２０を使ったが、サイリスタにしても同様の効果が得られる。
【００２０】
【発明の効果】
以上のように本発明による電子機器は、復帰回路を用いたことにより長時間の停電や商用電源のノイズに対し、復帰後に元の動作状態に戻るという効果が得られる。
【図面の簡単な説明】
【図１】本発明の第１の実施の形態における電子機器の概略構成を示すブロック図
【図２】同実施の形態における電子機器の具体的な構成を示す回路図
【図３】従来の記憶手段を有する電子式炊飯器の回路図
【符号の説明】
１  温度センサ
２  温度検出手段
３  開始スイッチ
４  取消スイッチ
５  基準電圧
６  比較手段
７  ヒータ通電手段
８  復帰回路
９  電源回路
１０  炊飯回路
【図１】
0003552483.tif 000002
【図２】
0003552483.tif 000003
【図３】
0003552483.tif 000004